(57)【要約】      （修正有）【課題】ミストに対してマイナスイオンを均一に混ぜることができるミスト発生装置を提供すること。【解決手段】マイナスイオンを発生させるイオン発生手段１と、イオン発生手段により発生されるマイナスイオンを所定の方向に噴出するイオンノズル１４とを備えたミスト発生装置において、イオンノズルをミストを噴出するミストノズル９とを対向させることなく、イオンノズルの噴出方向と、ミストノズルの噴出方向を１５度〜１２０度の範囲内で交差させるようにした。【選択図】図１
2009297087.tif 000002
【特許請求の範囲】
【請求項１】
液体を霧状にしてミストを発生させるミスト発生手段と、
ミスト発生手段により発生されるミストを所定方向へ噴出するミストノズルと、
マイナスイオンを発生させるイオン発生手段と、
前記イオン発生手段により発生されるマイナスイオンを所定方向へ噴出するイオンノズルと、を備えたミスト発生装置において、
イオンノズルと、ミストノズルとが対向することなく、イオンノズルの噴出方向と、ミストノズルの噴出方向が交差することを特徴とするミスト発生装置。
【請求項２】
前記ミストノズルは、噴出されるミストが前記イオンノズルから入って前記イオン発生手段の湿度に影響がでることがない位置であって、前記イオンノズルから噴出されるマイナスイオンに噴出するミストが届く位置に設置されていることを特徴とする請求項１に記載のミスト発生装置。
【請求項３】
前記ミスト発生手段は、液体を沸騰させることによりミストを発生させるように構成されており、
前記イオンノズルは、前記ミストノズルの上方に配置されることを特徴とする請求項１又は請求項２に記載のミスト発生装置。
【請求項４】
前記ミスト発生手段は、液体を超音波により振動させることにより、又は加圧ノズルを介して液体を噴出させることによりミストを発生させるように構成されており、
前記イオンノズルは、前記ミストノズルの下方に配置されることを特徴とする請求項１又は請求項２に記載のミスト発生装置。
【請求項５】
前記イオンノズルを加熱する加熱手段を備えたことを特徴とする請求項１〜請求項４のうちいずれか一項に記載のミスト発生装置。
【請求項６】
前記ミスト発生手段は、液体を沸騰させることによりミストを発生させるように構成されており、
前記イオンノズルは、前記ミスト発生手段により発生されたミストの熱により加熱されることを特徴とする請求項１〜請求項４のうちいずれか一項に記載のミスト発生装置。
【発明の詳細な説明】
【技術分野】
【０００１】
本発明は、使用者の肌にミストによる刺激を与えるミスト発生装置に関する。
【背景技術】
【０００２】
従来から、水などの液体をミスト化して使用者に向けて噴霧させ、使用者の肌にハリや潤いを与えるなどの美容効果を目的としたミスト発生装置（美容器）が広く用いられている。このようなミスト発生装置として、液体を加熱して発生させたミストを噴出口（ミストノズル）から使用者の肌に向けて噴射するとともに、噴出口とは異なる放出口（イオンノズル）からマイナスイオンを使用者の肌に向けて放出する美顔器が提案されている（例えば、特許文献１）。
【特許文献１】特開２００４−２４８９７号公報
【発明の開示】
【発明が解決しようとする課題】
【０００３】
しかしながら、このミスト発生装置では、ミストノズルと、イオンノズルとを並設してミストとマイナスイオンの噴出方向を一致させているため、噴射されるミストに対してマイナスイオンが均一に混ざらないという問題がある。すなわち、噴射されたミストにおけるマイナスイオンの分布は、ある一定距離まではイオンノズルに近いほど多くなる一方、遠くなるほど少なくなっていた。このため、肌に向けてミストが噴射されても適切な皮膚電位差を与えられない場合があった。
【０００４】
この発明は、このような従来技術に存在する問題点に着目してなされたものである。その目的は、ミストに対してマイナスイオンを均一に混ぜることができるミスト発生装置を提供することにある。
【課題を解決するための手段】
【０００５】
上記目的を達成するために、請求項１に記載の発明は、液体を霧状にしてミストを発生させるミスト発生手段と、ミスト発生手段により発生されるミストを所定の方向へ噴出するミストノズルと、マイナスイオンを発生させるイオン発生手段と、前記イオン発生手段により発生されるマイナスイオンを所定の方向へ噴出するイオンノズルと、を備えたミスト発生装置において、イオンノズルと、ミストノズルとが対向することなく、イオンノズルの噴出方向と、ミストノズルの噴出方向が交差することを要旨とする。
【０００６】
この発明により、ミストノズルから噴出されるミストとイオンノズルから噴出されるマイナスイオンが確実に交わり、ミストとマイナスイオンを均一に混ぜることができる。また、イオンノズルとミストノズルが対向していないので、ミストがイオンノズル内に入ることを防ぐことができる。
【０００７】
請求項２に記載の発明は、請求項１に記載の発明において、前記ミストノズルは、噴出されるミストが前記イオンノズルから入って前記イオン発生手段の湿度に影響がでることがない位置であって、前記イオンノズルから噴出されるマイナスイオンに噴出するミストが届く位置に設置されていることを要旨とする。
【０００８】
この発明により、ミストノズルから噴出されるミストとイオンノズルから噴出されるマイナスイオンが確実に交わり、ミストとマイナスイオンを均一に混ぜることができる。また、ミストがイオンノズル内に入ることを防ぐことができる。
【０００９】
請求項３に記載の発明は、請求項１又は請求項２に記載の発明において、前記ミスト発生手段は、液体を沸騰させることによりミストを発生させるように構成されており、前記イオンノズルは、前記ミストノズルの上方に配置されることを要旨とする。
【００１０】
この発明により、ミスト発生手段は、温度が高く粒子が細かいミストを発生させることができる。そして、イオンノズルを、ミストノズルの上方に配置させることにより、温度が高く粒子が細かいために、上昇しやすいミストに対してマイナスイオンを確実に噴出させることができる。
【００１１】
請求項４に記載の発明は、請求項１又は請求項２に記載の発明において、前記ミスト発生手段は、液体を超音波により振動させることにより、又は加圧ノズルを介して液体を噴出させることによりミストを発生させるように構成されており、前記イオンノズルは、前記ミストノズルの下方に配置されることを要旨とする。
【００１２】
この発明により、ミスト発生手段は、温度が低く粒子が大きいミストを発生させることができる。そして、イオンノズルを、ミストノズルの下方に配置させることにより、粒子が大きいために、下降しやすいミストに対してマイナスイオンを確実に噴出させることができる。
【００１３】
請求項５に記載の発明は、請求項１〜請求項４のうちいずれか一項に記載の発明において、前記イオンノズルを加熱する加熱手段を備えたことを要旨とする。
この発明により、イオンノズルが加熱される。このため、イオンノズル内及びイオン発生手段の周りの湿度を低下させ、安定して放電させることができる。従って、安定してマイナスイオンを発生させて、ミストに電位を与えることができる。
【００１４】
請求項６に記載の発明は、請求項１〜請求項４のうちいずれか一項に記載の発明において、前記ミスト発生手段は、液体を沸騰させることによりミストを発生させるように構成されており、前記イオンノズルは、前記ミスト発生手段により発生されたミストの熱により加熱されることを要旨とする。
【００１５】
この発明により、特別に加熱手段を設けなくてもイオンノズルを加熱させることができる。このため、イオンノズル内及びイオン発生手段の周りの湿度を低下させ、安定して放電させることができる。従って、安定してマイナスイオンを発生させて、ミストに電位を与えることができる。
【発明の効果】
【００１６】
本発明によれば、ミストに対してマイナスイオンを均一に混ぜることができる。
【発明を実施するための最良の形態】
【００１７】
以下、本発明を具体化した一実施の形態を図面に従って説明する。
図１に示すように、ミスト発生装置１の本体ケース２には、タンクホルダ３が設けられている。該タンクホルダ３には水などの液体を供給するタンク４が着脱可能に設けられている。タンク４は、図示しない止水ピンが設けられた蓋部４ａにより開口部が閉止されるとともに、その蓋部４ａが下側となるように配設されている。タンクホルダ３には、止水ピンに対応する形状の図示しない突出ピンが設けられている。タンク４は液体が注入された状態でタンクホルダ３に配設されることで、止水ピンが突出ピンにより押し込まれて水密性が解除されタンク４内の液体が流出されるものであり、タンクホルダ３にはタンク４から流出した液体が貯留される。
【００１８】
タンクホルダ３は、液体供給路５を介して、本体ケース２内の下部に形成された液体溜り部６と接続されている。液体溜り部６には、液体供給路５を介してタンクホルダ３の液体が供給され、貯留されるようになっている。液体溜り部６の左右側面には、液体溜り部６に貯留された液体を加熱して沸騰させるミスト発生手段及び加熱装置としてのヒータ７が設けられている。液体溜り部６の上部には、本体ケース２の上下方向に沿って延びる筒状の経路としてのミスト流路８が形成されている。
【００１９】
ミスト流路８の上部には、ミストを噴出（放出）するミストノズル９が配設されている。前記ヒータ７により液体溜り部６内の液体が加熱され、沸騰されることでミストノズル９からミストが噴出されるようになっている。なお、ヒータ７に印加する電圧値を変更することにより、噴出させるミスト量を制御することが可能となっている。また、ヒータ７へ電圧を印可し続けた場合、タンク４内の液体がなくなり、液体溜り部６への液体供給が途絶えることとなる。この場合、液体溜り部６の水位が低下することにより、液体溜り部６内に設けられたフロースイッチが動作して、ヒータ７への電圧の印加が停止されるようになっている。
【００２０】
そして、ミスト発生装置１の本体ケース２内のミスト流路８の上部には、マイナスイオンを生成するイオン発生手段としてのコロナ放電部１０が設けられている。このコロナ放電部１０は、図２に示すように、高圧電源回路１１と針状の放電針１２とグランドに接続された半円筒形状の対向板１３とで構成されており、高圧電源回路１１により放電針１２及び対向板１３間に高電圧を印加することでコロナ放電を発生させマイナスイオンが生成されるようになっている。
【００２１】
そして、コロナ放電部１０により生成されたマイナスイオンは、ミストノズル９の上部に設けられたイオンノズル１４から噴出されるようになっている。噴出されたマイナスイオンは、ミストノズル９から噴出されたミストと混合されることで、ミストがマイナス帯電されるようになっている。
【００２２】
このイオンノズル１４は、ミストノズル９から所定範囲（１．５ｃｍ〜３ｃｍ）内の距離（本実施形態では２ｃｍ）離れた位置に配置されている。また、ミストノズル９のミストの噴出方向ｍ１は、水平方向となっている一方で、イオンノズル１４の噴出方向ｍ２は、斜め下方に向かっている。すなわち、イオンノズル１４と、ミストノズル９とが対向することなく、イオンノズル１４の噴出方向ｍ２と、ミストノズル９の噴出方向ｍ１が交差するようになっている。また、イオンノズル１４の噴出方向ｍ２と、ミストノズル９の噴出方向ｍ１は、使用者とミスト発生装置１との間において、交差するようになっており、その交差角度αは、所定の範囲（１５度〜１２０度）内の角度となるように設定されている。なお、本実施形態では、イオンノズル１４の噴出方向ｍ２と、ミストノズル９の噴出方向ｍ１との交差角度αは、３０度となっている。
【００２３】
次に、上述したミスト発生装置１の動作を説明する。
先ず、タンク４内に水などの液体を注入してタンクホルダ３に設置すると、タンクホルダ３に設けられた突出ピンによってタンク４の蓋部４ａの止水ピンがタンク４の内側に押し込まれ、蓋部４ａの水密性が解除され、タンク４内の液体はタンクホルダ３に貯留され、液体供給路５に通水され液体溜り部６に液体が貯留される。
【００２４】
この状態で、ヒータ７を作動させ、液体溜り部６内の液体を加熱させる。これにより、水蒸気が発生する。この水蒸気は、ミスト流路８を通過する際にミストとなり、ミストノズル９から噴出される。一方、コロナ放電部１０により生成されたマイナスイオンは、ミストノズル９の上部に設けられたイオンノズル１４から噴出されるようになっている。噴出されたマイナスイオンは、ミストノズル９から噴出されたミストと混合されることで、ミストがマイナス帯電されるようになっている。
【００２５】
次に、イオンノズル１４の噴出方向ｍ２とミストノズル９の噴出方向ｍ１の交差角度αと、施術部位（ミストが噴出される使用者の肌）における皮膚電位差（噴出前と噴出後の皮膚電位差）との関係性について説明する。
【００２６】
イオンノズル１４の噴出方向ｍ２とミストノズル９の噴出方向ｍ１の交差角度αを、０度、１５度、３０度、６０度、９０度、１２０度、１３５度に変化させて皮膚電位差を計測したところ図３に示すようになった。横軸は、ミストが噴出される中心部を０とし、中心部から離れた距離を示している。なお、使用者は、ミストの中心部にてミストが噴出されるように使用する。
【００２７】
イオンノズル１４の噴出方向ｍ２とミストノズル９の噴出方向ｍ１の交差角度αが０度のとき、中心部よりも中心部から離れた位置（−４ｃｍの位置）において皮膚電位差がピーク値となっている。すなわち、マイナスイオンとミストが中心部において混ざり合っておらず、均一になっていないことを示している。つまり、マイナスイオンとミストとの混ざり方に偏りがあることを示している。また、交差角度αが０度のときの皮膚電位差のピーク値は、交差角度が１５度〜１２０度のときの皮膚電位差のピーク値よりも低い値となっている。すなわち、ミストにマイナスイオンが十分混ざり合っておらず、ミストを十分マイナス帯電させることができないことを示している。
【００２８】
そして、イオンノズル１４の噴出方向ｍ２とミストノズル９の噴出方向ｍ１の交差角度αが１５度〜１２０度のとき、中心部において皮膚電位差がピーク値となっている。すなわち、マイナスイオンとミストが中心部において混ざり合っており、均一になっていることを示している。また、交差角度αが１５度〜１２０度のときの皮膚電位差のピーク値は、すべてほぼ同じとなっている。すなわち、中心部においてミストにマイナスイオンが十分混ざり合っており、ミストを十分マイナス帯電させることができることを示している。
【００２９】
また、イオンノズル１４の噴出方向ｍ２とミストノズル９の噴出方向ｍ１の交差角度αが１３５度のとき、中心部において皮膚電位差がピーク値となっている。すなわち、マイナスイオンとミストが中心部において混ざり合っており、均一になっていることを示している。しかしながら、交差角度が１３５度のときの皮膚電位差のピーク値は、交差角度が１５度〜１２０度のときの皮膚電位差のピーク値と比較して、極めて低くなっている。また、中心部から離れた位置でも交差角度が１３５度のときの皮膚電位差の値は、交差角度が１５度〜１２０度のときの皮膚電位差の値と比較して、低くなっている。これは、ミストがイオンノズル内に入り、コロナ放電部１０の周りの湿度が高くなり、マイナスイオンが十分発生していないと考えられる。このため、交差角度が１３５度以上のときは、交差角度が１５度〜１２０度のときと比較してマイナスイオンを十分発生させることができなくなり、ミストを十分マイナス帯電させることができないことを示している。
【００３０】
以上のことにより、イオンノズル１４の噴出方向ｍ２と、ミストノズル９の噴出方向ｍ１の交差角度αは、所定の範囲（１５度〜１２０度）内の角度となるように設定し、マイナスイオンとミストが良く混ざり合うようにしている。
【００３１】
次に、イオンノズル１４とミストノズル９の離間距離と、施術部位における皮膚電位差との関係性について説明する。なお、図４では、イオンノズル１４の噴出方向ｍ２とミストノズル９の噴出方向ｍ１の交差角度αを９０度としている。
【００３２】
図４に示すように、イオンノズル１４とミストノズル９の離間距離が１．５ｃｍより短いのとき、皮膚電位差の値が小さい。これは、ミストがイオンノズル１４内に入り、コロナ放電部１０の周りの湿度を上げ、放電が十分でなくなり、マイナスイオンが十分発生していないためである。すなわち、ミストに対して十分なマイナスイオンを噴出することができず、マイナスイオンを十分混合させることができないことを示している。そして、イオンノズル１４とミストノズル９の距離が１．５ｃｍ〜３ｃｍのとき、皮膚電位差の値は、一定して高い値となっている。これは、ミストに対して十分なマイナスイオンを噴出することができており、マイナスイオンを十分混合させることができていることを示している。
【００３３】
その一方、イオンノズル１４とミストノズル９の距離が３ｃｍより大きいのとき、皮膚電位差の値が小さい。これは、イオンノズル１４とミストノズル９の距離が離れてしまってミストに対してマイナスイオンが届いておらず、マイナスイオンを十分混合させることができないことを示している。
【００３４】
以上のことにより、イオンノズル１４は、ミストノズル９から所定範囲（１．５ｃｍ〜３ｃｍ）内の距離離れた位置に配置して、マイナスイオンとミストが良く混ざり合うようにしている。
【００３５】
以上詳述したように、本実施形態は、以下の効果を有する。
（１）イオンノズル１４と、ミストノズル９とを対向させることなく、イオンノズル１４の噴出方向ｍ２と、ミストノズル９の噴出方向ｍ１を交差させるようにした。これにより、ミストノズル９から噴出されるミストとイオンノズル１４から噴出されるマイナスイオンが確実に交わり、ミストとマイナスイオンを均一に混ぜることができる。また、イオンノズル１４とミストノズル９が対向していないので、ミストがイオンノズル１４内に入ることを防ぐことができる。このため、コロナ放電部１０の周りの湿度が高くなることを防止し、マイナスイオンを十分発生させることができる。
【００３６】
（２）イオンノズル１４の噴出方向ｍ２と、ミストノズル９の噴出方向ｍ１の交差角度αを、所定の範囲（１５度〜１２０度）内の角度となるように設定した。このため、噴出された中心位置にてマイナスイオンとミストを良く混ぜ合わせることができる。
【００３７】
（３）ミストノズル９は、噴出されるミストがイオンノズル１４から入ってコロナ放電部１０の湿度に影響がでることがない位置であって、イオンノズル１４から噴出されるマイナスイオンに噴出するミストが届く位置に設置されている。すなわち、イオンノズル１４は、ミストノズル９から所定範囲（１．５ｃｍ〜３ｃｍ）内の距離離れた位置に配置されている。これにより、ミストノズル９から噴出されるミストとイオンノズル１４から噴出されるマイナスイオンが確実に交わり、ミストとマイナスイオンを均一に混ぜることができる。また、ミストがイオンノズル１４内に入ることを防ぐことができる。
【００３８】
（４）ヒータ７は、液体を加熱して水蒸気を発生させ、当該水蒸気を、ミスト流路８を介してミストノズル９から噴出させることにより、温度が高く粒子が細かいミストを発生させることができる。そして、イオンノズル１４を、ミストノズル９の上方に配置させることにより、温度が高く粒子が細かいために、上昇しやすいミストに対してマイナスイオンを確実に噴出させることができる。このため、マイナスイオンとミストを良く混合させることができる。
【００３９】
（第二実施形態）
次に、本発明を具体化した第二実施形態を説明する。なお、以下に説明する実施形態では、既に説明した第一実施形態と同様の構成は、同じ符号を付すなどして重複する詳細な説明及び図面は省略又は簡略する。
【００４０】
図５に示すように、本実施形態のイオンノズル１４の噴出方向ｍ２は、水平方向となっている。その一方、ミストノズル９は、イオンノズル１４の噴出方向ｍ２とミストノズル９の噴出方向ｍ１の交差角度αが、所定の範囲（１５度〜１２０度）内の角度（本実施形態では３０度）となるように、斜め上方に対してミストを噴出するように設定されている。この構成により、本実施形態は、第一実施形態と同様の効果を有する。
【００４１】
（第三実施形態）
次に、本発明を具体化した第三実施形態を説明する。なお、以下に説明する実施形態では、既に説明した第一実施形態と同様の構成は、同じ符号を付すなどして重複する詳細な説明及び図面は省略又は簡略する。
【００４２】
図６に示すように、本実施形態のイオンノズル１４の噴出方向ｍ２及びミストノズル９の噴出方向ｍ１は、共に斜め上方に向かっている。そして、イオンノズル１４の噴出方向ｍ２とミストノズル９の噴出方向ｍ１の交差角度αが、所定の範囲（１５度〜１２０度）内の角度（本実施形態では２０度）となるように、ミストノズル９の方がイオンノズル１４よりもより上方へ向かう角度に設定されている。この構成により、本実施形態は、第一実施形態と同様の効果を有する。
【００４３】
（第四実施形態）
次に、本発明を具体化した第四実施形態を説明する。なお、以下に説明する実施形態では、既に説明した第一実施形態と同様の構成は、同じ符号を付すなどして重複する詳細な説明及び図面は省略又は簡略する。
【００４４】
図７に示すように、第四実施形態の液体溜り部６の左右側面には、液体溜り部６に貯留された液体を加熱して沸騰させるヒータ７が設けられている。また、液体溜り部６の底面には、超音波を発生させる超音波発生装置２１が設けられている。そして、液体溜り部６の上部には、本体ケース２の上下方向に沿って延びる筒状の経路としてのミスト流路８が形成されている。また、ミスト流路８の途中には、ミストノズル９へ水蒸気又はミストを送り出す送風手段としての送風機２２が備えられている。
【００４５】
そして、超音波発生装置２１に電圧を印加することにより、液体溜り部６に貯留された液体がミスト化され、当該ミストが送風機２２によりミスト流路８を介してミストノズル９から外部に噴出されるようになっている。
【００４６】
また、ミストノズル９の下部には、マイナスイオンを生成させる第２コロナ放電部２３が設けられている。そして、第２コロナ放電部２３により生成されたマイナスイオンは、ミストノズル９の下部に設けられた第２イオンノズル２４から噴出されるようになっている。第２イオンノズル２４から噴出されたマイナスイオンは、ミストノズル９から噴出されたミストと混合されることで、ミストがマイナス帯電されるようになっている。
【００４７】
この第２イオンノズル２４は、ミストノズル９から所定範囲（１．５ｃｍ〜３ｃｍ）内の距離（本実施形態では２ｃｍ）離れた位置に配置されている。また、第２イオンノズル２４の噴出方向ｍ３は、斜め上方に向かっている。すなわち、第２イオンノズル２４と、ミストノズル９とが対向することなく、第２イオンノズル２４の噴出方向ｍ３と、ミストノズル９の噴出方向ｍ１が交差するようになっている。また、第２イオンノズル２４の噴出方向ｍ３と、ミストノズル９の噴出方向ｍ１は、使用者とミスト発生装置との間において、交差するようになっており、その交差角度βは、所定の範囲（１５度〜１２０度）内の角度となるように設定されている。なお、本実施形態では、イオンノズル１４の噴出方向と、ミストノズル９の噴出方向との交差角度は、３０度となっている。
【００４８】
そして、第２コロナ放電部２３は、超音波発生装置２１により発生されたミストがミストノズル９から噴出されているときに、マイナスイオンを発生させ、第２イオンノズル２４からマイナスイオンを噴出させるように構成されている。超音波発生装置２１により発生されたミストは、水蒸気から生成されたミストよりも粒子が大きく、下降し易いため、ミストノズル９の下方に設けられた第２イオンノズル２４からマイナスイオンをミストに対して噴出することにより、マイナスイオンをミストに確実に照射することができ、十分混合させることができる。
【００４９】
以上詳述したように、本実施形態は、以下の効果を有する。
（５）超音波発生装置２１は、温度が低く粒子が大きいミストを発生させることができる。そして、第２イオンノズル２４を、ミストノズル９の下方に配置させることにより、粒子が大きいために、下降しやすいミストに対してマイナスイオンを確実に噴出させることができる。このため、ミストにマイナスイオンを十分混合させることができる。
【００５０】
（第五実施形態）
次に、本発明を具体化した第五実施形態を説明する。なお、以下に説明する実施形態では、既に説明した第一実施形態と同様の構成は、同じ符号を付すなどして重複する詳細な説明及び図面は省略又は簡略する。
【００５１】
第五実施形態のミスト流路８の上部には、マイナスイオンを生成するイオン発生手段としてのコロナ放電部１０が設けられている。そして、コロナ放電部１０により生成されたマイナスイオンは、ミストノズル９の上部に設けられたイオンノズル１４から噴出されるようになっている。噴出されたマイナスイオンは、ミストノズル９から噴出されたミストと混合されることで、ミストがマイナス帯電されるようになっている。
【００５２】
第五実施形態のイオンノズル１４には、図８に示すように、イオンノズル１４を加熱するためのノズル用ヒータ３１が設けられている。このノズル用ヒータ３１が、イオンノズル１４を加熱することで、イオンノズル１４を出口とする上昇気流が発生し、マイナスイオンが噴出されやすくなる。また、同時に、ノズル用ヒータ３１が、イオンノズル１４を加熱することで、イオンノズル１４及びコロナ放電部１０の周りの湿度が低くなり、安定して放電させることができ、マイナスイオンを発生させやすくなる。
【００５３】
以上詳述したように、本実施形態は、以下の効果を有する。
（６）ノズル用ヒータ３１により、イオンノズル１４が加熱される。このため、イオンノズル１４内及びコロナ放電部１０の周りの湿度を低下させ、安定して放電させることができる。従って、安定してマイナスイオンを発生させて、ミストに電位を与えることができる。
【００５４】
（第六実施形態）
次に、本発明を具体化した第六実施形態を説明する。なお、以下に説明する実施形態では、既に説明した第一実施形態と同様の構成は、同じ符号を付すなどして重複する詳細な説明及び図面は省略又は簡略する。
【００５５】
第六実施形態のミスト流路８の上部には、マイナスイオンを生成するイオン発生手段としてのコロナ放電部１０が設けられている。そして、コロナ放電部１０により生成されたマイナスイオンは、ミストノズル９の上部に設けられたイオンノズル１４から噴出されるようになっている。噴出されたマイナスイオンは、ミストノズル９から噴出されたミストと混合されることで、ミストがマイナス帯電されるようになっている。
【００５６】
そして、第六実施形態のイオンノズル１４は、図９に示すように、ミストノズル９からの熱が伝わりやすいように、熱伝導性に優れた金属製の伝導部４１によってミストノズル９と連結されている。
【００５７】
これにより、ミストの熱によって加熱されたミストノズル９から、伝導部４１を介してイオンノズル１４へ熱が伝わり、イオンノズル１４が加熱される。イオンノズル１４が加熱されることで、イオンノズル１４を出口とする上昇気流が発生し、マイナスイオンが噴出されやすくなる。また、同時に、イオンノズル１４が加熱されることで、イオンノズル１４及びコロナ放電部１０の周りの湿度が低くなり、安定して放電させることができ、マイナスイオンを発生させやすくなる。
【００５８】
以上詳述したように、本実施形態は、以下の効果を有する。
（７）熱伝導性に優れた伝導部４１により、イオンノズル１４とミストノズル９が連結されることで、イオンノズル１４に加熱手段を設けなくても、ミストの熱によって加熱されたミストノズル９から、伝導部４１を介してイオンノズル１４へ熱が伝わり、イオンノズル１４が加熱される。そして、イオンノズル１４が加熱されることにより、イオンノズル１４内及びコロナ放電部１０の周りの湿度を低下させ、安定して放電させることができる。従って、安定してマイナスイオンを発生させて、ミストに電位を与えることができる。
【００５９】
尚、上記実施形態は、次のような別の実施形態（別例）にて具体化できる。
○上記実施形態において、イオンノズル１４は、ミストノズル９から所定範囲（１．５ｃｍ〜３ｃｍ）内の距離離れた位置に配置されるならば、任意の位置に変更しても良い。
【００６０】
○上記実施形態において、イオンノズル１４の噴出方向と、ミストノズル９の噴出方向の交差角度は、所定の範囲（１５度〜１２０度）内の角度となるように設定されるならば、任意の角度に変更しても良い。
【００６１】
○上記実施形態において、マイナスイオンを発生させるためにコロナ放電を利用したが、これ以外の方法でマイナスイオンを発生させるようにしても良い。例えば、高速回転させた拡散プロペラに水を接触させて、水分子を破砕することでマイナスイオンを発生させる水破砕式マイナスイオン発生装置を利用しても良い。また、静電噴霧を利用したマイナスイオン発生機構を利用しても良い。また、自冷放射を利用してマイナスイオンを発生させるために放射物質（トルマリン）を備えたマイナスイオン発生機構を利用しても良い。
【００６２】
次に、上記実施形態及び別例から把握できる技術的思想を以下に追記する。
（イ）使用者とミスト発生装置との間において、前記イオンノズルの噴出方向と、前記ミストノズルの噴出方向が交差することを特徴とする請求項１〜請求項６のうちいずれか一項に記載のミスト発生装置。
【００６３】
（ロ）前記イオンノズルの噴出方向と、前記ミストノズルの噴出方向が１５度から１２０度の範囲で交わることを特徴とする請求項１〜請求項６のうちいずれか一項に記載のミスト発生装置。
【００６４】
（ハ）前記ミストノズルは、前記イオンノズルから１．５ｃｍ〜３．０ｃｍの範囲の距離を空けて配置されていることを特徴とする請求項１〜請求項６のうちいずれか一項に記載のミスト発生装置。
【００６５】
（ニ）前記ミスト発生手段は、発生させた高温のミストを、移送経路に通過させて前記ミストノズルに送るように構成され、前記移送経路は、前記イオンノズルと熱伝導に優れた材料で接続されていることを特徴とする請求項１〜請求項６のうちいずれか一項に記載のミスト発生装置。
【図面の簡単な説明】
【００６６】
【図１】ミスト発生装置の断面図。
【図２】コロナ放電部の模式図。
【図３】交差角度と皮膚電位差との関係性を示す説明図。
【図４】イオンノズルとミストノズルの離間距離と、皮膚電位差との関係性を示す説明図。
【図５】第二実施形態のミスト発生装置の断面図。
【図６】第三実施形態のミスト発生装置の断面図。
【図７】第四実施形態のミスト発生装置の断面図。
【図８】第五実施形態のコロナ放電部の模式図。
【図９】第六実施形態のミスト発生装置の断面図。
【符号の説明】
【００６７】
１…ミスト発生装置、２…本体ケース、３…タンクホルダ、４…タンク、５…液体供給路、６…液体溜り部、７…ヒータ、８…ミスト流路、９…ミストノズル、１０…コロナ放電部、１４…イオンノズル、ｍ１…ミストノズルの噴出方向、ｍ２…イオンノズルの噴出方向、ｍ３…第２イオンノズルの噴出方向、α…ミストノズルの噴出方向とイオンノズルの噴出方向の交差角度、β…ミストノズルの噴出方向と第２イオンノズルの噴出方向の交差角度。
【図１】
2009297087.tif 000003
【図２】
2009297087.tif 000004
【図３】
2009297087.tif 000005
【図４】
2009297087.tif 000006
【図５】
2009297087.tif 000007
【図６】
2009297087.tif 000008
【図７】
2009297087.tif 000009
【図８】
2009297087.tif 000010
【図９】
2009297087.tif 000011